(57)【要約】      （修正有）【課題】バーチャルキャラクターで実際の試着を模擬したり、背景を変化させて各種場面に合わせ衣服等の組み合わせを模擬したりすることができるバーチャルリアリティショッピングシステムの提供。【解決手段】ログインページ、キャラクター配置選択ページ、バーチャルリアリティショッピングページを含み、該ログインページは会員の確認や新規入会会員で用いるシステムとし、該キャラクター配置選択ページでは、買い物客基本キャラクターの選択後、買い物客がバーチャルキャラクターを作成でき、該バーチャルリアリティショッピングページは、バーチャルリアリティの三次元空間を備えたショッピングサイトとし、バーチャルリアリティの地図と地図内にいる複数のバーチャルキャラクターのインタラクティブな設計で、個別の買い物客がバーチャル地図を介して相互交流でき、バーチャルキャラクターにバーチャルの衣服やアクセサリ等を試着させることができる。【選択図】図１
2007094635.tif 000002
【特許請求の範囲】
【請求項１】
ログインページと、キャラクター配置選択ページと、バーチャルリアリティショッピングページを含み、そのうち、該ログインページは会員の確認や新規会員の入会に用いるコンピュータシステムであって、アカウント、パスワード入力により会員のIDを確認し、会員のIDを確認した後、インターネット接続で該キャラクター配置選択ページに進むことができ、さらに、補助機能を備えたページに進むことができるようにしてもよく、また、該ログインページはファイアウォールと機密性を保護する機能を提供してもよいものとし、該キャラクター配置選択ページは、複数の選択可能な買い物客基本キャラクターを備え、買い物客基本キャラクターを選択するとき、バーチャルリアリティショッピングページに入ることができ、該バーチャルリアリティショッピングページは仲介システムであり、背景ページをバーチャルリアリティ空間ショッピングサイトとして設計し、該バーチャルリアリティ空間ショッピングサイトの地図は視野の縮小・拡大機能と背景変換機能を備え、作成したバーチャルキャラクターと組み合わせてインターネット取引の動作を表現することができ、該バーチャルキャラクターは該バーチャルリアリティのショッピングサイトで表情のある表現をすることができると共に、バーチャル店員や他の買い物客と相互交流し会話ができるバーチャルリアリティショッピングシステム。
【請求項２】
前記のうち、該補助機能を備えたページを新規会員入会登録ページや会員登録内容変更ページ等とすることができる請求項1に記載のバーチャルリアリティショッピングシステム。
【請求項３】
前記のうち、該買い物客基本キャラクターの選択時に、バーチャルキャラクター作成ページに進み、買い物客が各キャラクターに対し行なった身長・体重・スリーサイズ、頭部写真、髪型等データの入力に基づいて、バーチャルキャラクターの作成を行い、実際の人物との相似度が高いバーチャルキャラクターを作成することができる請求項1に記載のバーチャルリアリティショッピングシステム。
【発明の詳細な説明】
【技術分野】
【０００１】
本発明はバーチャルリアリティショッピングシステムに関する。
【背景技術】
【０００２】
科学技術の急速な発展は、効果的に人々の生活レベルを向上し、人と人の間の距離を近づけ、インターネットの発明と運用は世界中の距離を近づけることを実現している。インターネットの発展において、インターネットショッピングは従来の消費方式に取って代わり、一つの重要な発展方向となっている。
【０００３】
従来のショッピングサイトは、製品のほとんどが文字による紹介に写真を数枚組み合わせた単調な形式で、次のような基本構造の欠点を免れない。
【０００４】
第一に、消費者のショッピングの保障に欠け、二次元の写真数枚の組み合わせと単調な文字紹介だけでは、消費者のショッピングに充分な情報を提供することができず、消費者は自分の思い描いたものとは違う製品を買ってしまうことになりやすい。
【０００５】
第二に、ショッピング環境が単調で人間味に乏しく、消費者が一人でショッピングサイトを閲覧するだけでは、ショッピング時に店員やほかの買い物客と相互交流する楽しみがないだけでなく、且つ、単調なサイトの背景は百貨店でのショッピング時のようなさまざまなものが目に映る視覚的楽しみもない。
【０００６】
第三に、製品が自分に合うかどうかはインターネット上でのショッピングでは確かめることができず、買い物客は実際に衣類やズボン、帽子等の製品を実際に組み合わせる機会はなく、解体製品のサイズも同様に確実性がない。
【０００７】
このため、従来の単調な文字による紹介に数枚の写真を組み合わせただけのショッピングサイトのよくない配置や相互交流の機制に欠けるという問題を解決し、ひいてはインターネットショッピング市場の開拓のしにくさや使用が単調である等に起因する不便さ、実用性の低さの問題の解決が待たれている。
【発明の開示】
【発明が解決しようとする課題】
【０００８】
上述の従来技術の欠点に鑑みて、本発明の目的は、従来技術の欠点に対し、バーチャルリアリティショッピングシステムを提供し、効果的に上述のような従来のショッピングサイトの欠点を排除し、使用に便利で、効果的に従来の単調な文字による紹介に数枚の写真を組み合わせただけという取引の問題の多さ、単調さ、つまらなさ、といった欠点を少なくし、実際の試着を模擬することができ、さらに背景を変化させたり、各種の場面とバーチャルキャラクターの衣服等の組み合わせを模擬したりすることができ、システム制御をアクティブに運用し、且つ、複数のバーチャルキャラクターを、縮小・拡大・変換が可能な背景を備えたバーチャルリアリティのショッピングサイトのインターフェースの中で相互交流させ、相互交流の楽しみと視覚的享受を提供し、相互交流が可能で利便性と実用性を備え、組み合わせを変化させることができる、実用性の高いバーチャルリアリティショッピングシステムを提供することにある。
【課題を解決するための手段】
【０００９】
上述及びその他目的を達するため、本発明のバーチャルリアリティショッピングシステムは、インターネットのショッピングシステムサイトでの運用に適しており、特に、ショッピングサイトをバーチャルリアリティのゲームソフトウェアに似た方式で表現し、単調な文字による説明とわずかな写真で表示する必要なく、試着をさせたり、組み合わせ変化が可能な背景で適当な場所に出席するための服装に合わせたりすることができ、さらに、他の買い物客やバーチャル店員と相互交流ができ、該ショッピングシステムは少なくともログインページと、キャラクター配置選択ページと、バーチャルリアリティショッピングページを含み、該ログインページは会員の確認または新規会員の入会に用いるコンピュータシステムとし、アカウント番号とパスワードにより会員IDを確認してインターネット接続後、キャラクター配置選択ページと該バーチャルリアリティショッピングページに入り、インターネットショッピング取引を行うことができ、ファイアウォールと機密性等の保護機能を提供することができるものとし、該キャラクター配置選択ページは複数の選択可能な買い物客基本キャラクターを備え、１つの買い物客基本キャラクターを選択した後、買い物客に基本的な選択と検索機能を提供するほか、買い物客による各キャラクターに対する身長・体重・スリーサイズと頭部写真、髪型等のデータの入力に基づき、バーチャルキャラクターの作成を行うことができ、作成したバーチャルキャラクターは実際の人物との相似度が９５％に達することができるものとし、該バーチャルリアリティショッピングページは、バーチャルリアリティの三次元空間ショッピングサイトとして設計され、該バーチャルリアリティの三次元空間ショッピングサイトの地図は、視野の縮小・拡大機能を備え、作成されたバーチャルキャラクターに合わせてインターネット取引の動作の様子を形成し、バーチャルキャラクターがバーチャルリアリティのショッピングサイトで表情のある表現ができ、且つ、バーチャル店員や他の買い物客と話すことができる。
【００１０】
該ログインページは、アカウント番号、パスワードで会員を確認し、キャラクター配置選択ページに入る機能のほか、新規会員入会登録ページと会員登録内容変更ページ等補助機能を備えたページに入る機能も設けることができる。
【００１１】
このほか、本発明は該バーチャルリアリティの地図及び地図内にいる複数のバーチャルキャラクターのインタラクティブな設計により、これまでの相互交流のない、退屈で単調なショッピングサイトに取って代わり、個別の買い物客がバーチャルの地図を介して結合され、相互交流することができ、且つ、バーチャルキャラクターはバーチャルリアリティのショッピングサイトでインターネット取引の動作を行うとき、まずバーチャルの衣服やアクセサリ等を組み合わせ、実際の人物との相似度が９５％に達するバーチャルキャラクターの体に着せて表示し、買い物客は他の買い物客やバーチャル店員と相談した後、インターネット取引を行うかどうかを決定でき、さらに、買い物客は購入する物品や衣服を着用する予定の場面に基づき、あらかじめバーチャル地図内で異なる背景に変換して行く予定の場所に合わせ、購入する物品や衣服を組み合わせてキャラクターに試着させ、買い物客が行く予定の場所に合うかどうかを決定することができる。      
【発明の効果】
【００１２】
ショッピングサイトをバーチャルリアリティのゲームソフトウェアに似た方式で表現し、アクティブで便利に使用でき、且つ、相互交流機能と完全なショッピング機能を備えたバーチャルリアリティショッピングシステムであって、バーチャルリアリティを運用した視野を伸縮できる地図と、地図内にいる複数のバーチャルキャラクターのインタラクティブな設計により、これまでの相互交流関係を持たない、退屈で単調なショッピングサイトに代わり、個別の買い物客がバーチャルの地図を介して結合され、相互交流することができ、且つ、バーチャルキャラクターがバーチャルリアリティのショッピングサイトでインターネット取引の動作を行うとき、先にバーチャルの衣服やアクセサリ等を組み合わせて実際の人物との相似性が９５％に達するバーチャルキャラクターの体の上に試着させて表示でき、ショッピングをする買い物客と他の買い物客やバーチャル店員間で討論をした後、インターネット取引を行うか否かを決定することができると共に、バーチャルキャラクターは必要に応じて髪型や組み合わせる背景システムを変えることができる。
【発明を実施するための最良の形態】
【００１３】
以下、具体的な実施例に基づき、本発明の実施方法について説明する。関連技術に詳しい人物であれば、本明細書に掲示する内容から簡単に本発明のその他利点と効果を理解できるはずである。本発明は、その他異なる具体的な実施例でも実施または応用することができ、本明細書の中の各詳細もまた、異なる観点と応用により、本発明の要旨から逸脱しない範囲において、さまざまな修飾や変更を行うことができる。
【００１４】
まず、図１に示すように、本発明のバーチャルリアリティショッピングシステムは、ログインページ１と、キャラクター配置選択ページ２、バーチャルリアリティショッピングページ３を含む。
【００１５】
ログインページ１は、会員の確認や新規加入に用いるコンピュータシステムとし、アカウント、パスワード入力１０で会員のIDを確認し、会員のIDを確認した後、インターネット接続で該キャラクター配置選択ページ２に進むことができる。また別に、新規会員入会登録ページ１１や会員登録内容変更ページ１２等の補助機能を備えたページに進ませてもよい。該ログインページ１はファイアウォールと機密性を保護する機能を提供するようにしてもよい。
【００１６】
キャラクター配置選択ページ２は、複数の選択可能な買い物客基本キャラクター２０を備え、買い物客基本キャラクター２０を選択するとき、「買い物客基本キャラクター作成」や「買い物客基本キャラクター関連状況の確認」、「この基本キャラクターでショッピングシステムに入る」等、いくつかの選択項目から１つ選択して進み、「買い物客基本キャラクター作成」を選択すると、バーチャルキャラクター作成ページ２１に入り、買い物客が各キャラクターに対し行なった身長・体重・スリーサイズ、頭部写真、髪型等データの入力に基づいて、バーチャルキャラクターの作成を行い、実際の人物との相似度が９５％に達するバーチャルキャラクターを作成することができる。「この基本キャラクターでショッピングシステムに入る」を選択すると、バーチャルリアリティショッピングページ３に進むことができる。
【００１７】
バーチャルリアリティショッピングページ３は仲介システムであり、背景ページはバーチャルリアリティの三次元空間ショッピングサイトとして設計し、該バーチャルリアリティの三次元空間ショッピングサイトの地図は視野の縮小・拡大機能を備え、作成したバーチャルキャラクターと組み合わせてインターネット取引の動作を表現することができ、バーチャルキャラクターはこのバーチャルリアリティのショッピングサイトでも表情のある表現ができ、且つ、バーチャル店員や他の買い物客と会話をすることもできる。
【００１８】
続いて、図１に加え図２にも示すように、本発明は新規会員入会登録ページから新規会員の入会を受け付けることができ、入会後の会員は、該バーチャルリアリティの地図をその仲介システムとし、その地図内にいる複数のバーチャルキャラクターと相互交流ができる設計により、これまでの相互交流関係のない、退屈で単調なショッピングサイトを代替し、個別の買い物客がバーチャル地図を介して相互に結合され、相互交流を行うことができ、且つ、バーチャルキャラクターはこのバーチャルリアリティのショッピングサイトでインターネット取引の動作を行うことができ、先にバーチャルの衣服やアクセサリ等を実際の人物との相似度が９５％に達するバーチャルキャラクターの体に着用させて表示し、買い物客は他の買い物客やバーチャル店員と討論した後、インターネットショッピングを行うか否かを決定することができる。また、買い物客は購入する物品や衣服を着用して行く予定の場面に応じて、あらかじめバーチャル地図内で異なる背景に変換して行く予定の場面に合わせ、さらに購入する物品や衣服を組み合わせて買い物客のキャラクターに着用させ、買い物客が行く予定の場面に合うかどうかを確認してから購入を決定することができる。買い物客は商品の購入を決定した後、関連データの記入と支払い方法の選択を行い、ショッピングシステムが買い物リストを確認した後、一方では領収書と買い物リストの商品を発送し、また一方ではリストと同じバーチャル製品を買い物客基本キャラクター２０の倉庫内に入れ、買い物客が次回続けて組み合わせる製品の選択に使うことができるようにする。
【図面の簡単な説明】
【００１９】
【図１】本発明のサイトのログインのフローチャートである。
【図２】本発明の取引手順のフローチャートである。
【図３】本ショッピングサイトの入口ページ図である。
【図４】本ショッピングサイトの入口ページ図である。
【符号の説明】
【００２０】
１        ログインページ
１０      アカウント、パスワード入力
１１      新規会員入会登録ページ
１２      会員登録内容変更ページ
２        キャラクター配置選択ページ
２０      買い物客基本キャラクター
３        バーチャルリアリティショッピングページ
【図１】
2007094635.tif 000003
【図２】
2007094635.tif 000004
【図３】
2007094635.tif 000005
【図４】
2007094635.tif 000006